(57)【要約】【課題】本発明は、ユーザのザッピング処理時間を短縮することが可能な電子機器を提供することを目的とする。【解決手段】本発明の電子機器１１は、間欠的に任意の時間間隔で起動し映像情報の信号と伝送制御信号とを含む放送を受信する受信部１４と、この受信部１４が受信した映像情報を記憶する記憶部１８と、電子機器１１が電源オンされた後、記憶部１８が記憶した映像情報を表示する表示部１９とを有する。この構成により、ユーザが電子機器の電源をオンした後に、記憶部に記憶された映像情報が表示部１９に再生され、ユーザが視聴したい番組を選択することができる。即ち、ユーザがザッピング処理をする際、受信部１４の選局処理時間を省略することができるので、ザッピング処理時間を短縮することができる。【選択図】図１
2008098900.tif 000002
【特許請求の範囲】
【請求項１】
電子機器に搭載される受信装置であって、
間欠的に任意の時間間隔で起動し映像情報の信号と伝送制御信号とを含む放送信号を受信する受信部と、
この受信部が受信した前記映像情報を記憶する記憶部とを有し、
前記電子機器が電源オンされた後、前記記憶部が記憶した前記映像情報を前記電子機器の表示部に出力する受信装置。
【請求項２】
電子機器に搭載される受信装置であって、
間欠的に任意の時間間隔で起動し画像情報の信号と伝送制御信号とを含む放送信号を受信する受信部と、
この受信部が受信した前記画像情報を記憶する記憶部とを有し、
前記電子機器が電源オンされた後、前記記憶部が記憶した前記画像情報を前記電子機器の表示部に出力する受信装置。
【請求項３】
電子機器に搭載される受信装置であって、
間欠的に任意の時間間隔で起動し音声情報の信号と伝送制御信号とを含む放送信号を受信する受信部と、
この受信部が受信した前記音声情報を記憶する記憶部とを有し、
前記電子機器が電源オンされた後、前記記憶部が記憶した前記音声情報を前記電子機器の表示部に出力する受信装置。
【請求項４】
電子機器に搭載される受信装置であって、
間欠的に任意の時間間隔で起動し文字情報の信号と伝送制御信号とを含む放送信号を受信する受信部と、
この受信部が受信した前記文字情報を記憶する記憶部とを有し、
前記電子機器が電源オンされた後、前記記憶部が記憶した前記文字情報を前記電子機器の表示部に出力する受信装置。
【請求項５】
前記伝送制御信号は、放送信号が存在する旨の情報を含む請求項１から請求項４のいずれか１つに記載の受信装置。
【請求項６】
前記伝送制御信号は、緊急放送情報を含む請求項１から請求項４のいずれか１つに記載の受信装置。
【請求項７】
前記電子機器が電源オンされた後、自動的に前記放送信号の情報を前記表示部に出力する請求項１から請求項４のいずれか１つに記載の受信装置。
【請求項８】
前記電子機器が電源オンされた後、ユーザからの入力操作によって前記放送信号の情報を前記表示部に出力する請求項１から請求項４のいずれか１つに記載の受信装置。
【請求項９】
前記記憶部は、信号処理部で復号される前の復調部から出力された放送信号の情報を記憶する請求項１から請求項４のいずれか１つに記載の受信装置。
【請求項１０】
前記記憶部は、前記放送信号の情報の他に、ＡＧＣ（Ａｕｔｏｍａｔｉｃ Ｇａｉｎ Ｃｏｎｔｒｏｌ）情報を記憶し、前記記憶部が記憶した前記ＡＧＣ情報を用いて、受信部のＡＧＣ制御を行う請求項１から請求項４のいずれか１つに記載の受信装置。
【請求項１１】
前記受信部が受信した前記放送信号の受信強度を検出する検出部を有し、この検出部で検出された信号強度が所定レベル以上であるか否かを判定し、信号強度が所定のレベル未満のチャンネルに対して復調処理を省略する請求項１から請求項４のいずれか１つに記載の受信装置。
【請求項１２】
放送の番組プログラムを取得する番組プログラム取得部を有し、前記受信部は、この番組プログラム取得部が取得した前記番組プログラムに基づいて、番組が開始する時間に合わせて起動し前記放送信号を受信する請求項１から請求項４のいずれか１つに記載の受信装置。
【請求項１３】
前記表示部は、前記記憶部に記憶された複数のチャンネルの放送信号の情報を一度に表示する請求項１から請求項４のいずれか１つに記載の受信装置。
【請求項１４】
電子機器であって、
間欠的に任意の時間間隔で起動し、番組を認識可能な情報の信号と伝送制御信号とを含む放送信号を受信する受信部と、
この受信部が受信した前記番組を認識可能な情報を記憶する記憶部と、
前記電子機器が電源オンされた後、前記記憶部が記憶した前記番組を認識可能な情報を表示する表示部とを有する電子機器。
【発明の詳細な説明】
【技術分野】
【０００１】
本発明は、信号を受信する受信装置を用いた電子機器に関するものである。
【背景技術】
【０００２】
以下従来の受信装置を搭載した電子機器について図４を用いて説明する。図４は、従来の電子機器１のブロック図である。図４において、電子機器１は、アンテナ２と、このアンテナ２の出力側に接続された受信装置３と、この受信装置３の出力側に接続された表示部４とを有する。そして、受信装置３は、アンテナ２の出力側に接続され所定チャンネルを選局する受信部５と、この受信部５の出力側に接続された復調部６と、この復調部６の出力側に接続された信号処理部７と、受信部５と復調部６と信号処理部７とを制御する制御部８と、この制御部８に接続された記憶部９とを有する。
【０００３】
次に、このような従来の電子機器１のチャンネルサーチ時における動作を説明する。この従来の電子機器１において、受信部５は、制御部８に接続された計時部１０からの時間情報に基づいて、間欠的に任意の時間間隔で起動し、さらに制御部８は、受信部５で選局したチャンネルに伝送制御信号が存在するか否かを判断し、そのチャンネルに伝送制御信号が存在する場合はそのチャンネルのチャンネル情報を記憶部９に記憶していた。
【０００４】
尚、この出願の発明に関連する先行技術文献としては、例えば特許文献１が知られている。
【特許文献１】特開２００４−１７９９２８号公報
【発明の開示】
【発明が解決しようとする課題】
【０００５】
上記従来の電子機器１において、ユーザが入力キー（図示せず）によって次々にチャンネルを切り替えて表示部４に表示された番組映像を確認しながら、視聴したい番組を選択するというザッピング処理をする際、制御部８は、上記チャンネルサーチによって記憶部９に記憶されたチャンネル情報に基づいて、受信部５に選局処理をさせていた。その時、ユーザは、各チャンネルを選局し、映像が再生されるのを数秒間待った後、映像を確認し、その後次のチャンネルを選択し、同様に映像が再生されるのを待つといった手順を行う必要があるため、ザッピング処理に時間がかかるという問題があった。
【０００６】
そこで本発明は、ユーザのザッピング処理時間を短縮することが可能な電子機器を提供することを目的とする。
【課題を解決するための手段】
【０００７】
この目的を達成するために本発明の電子機器は、間欠的に任意の時間間隔で起動し映像情報の信号と伝送制御信号とを含む放送を受信する受信部と、この受信部が受信した映像情報を記憶する記憶部と、電子機器が電源オンされた後、記憶部が記憶した映像情報を表示する表示部とを有する。
【発明の効果】
【０００８】
上記構成により、ユーザが電子機器の電源をオンした後に、記憶部に記憶された映像情報が表示部に再生され、ユーザが視聴したい番組を選択することができる。即ち、ユーザがザッピング処理をする際、受信部の選局処理時間を省略することができるので、ザッピング処理時間を短縮することができる。
【発明を実施するための最良の形態】
【０００９】
（実施の形態１）
以下本発明の実施の形態１について、図１を用いて説明する。図１は本発明の実施の形態１における電子機器のブロック図である。
【００１０】
電子機器１１に搭載された受信装置１２は、アンテナ１３の出力側に接続され所定チャンネルを選局する受信部１４と、この受信部１４の出力側に接続された復調部１５と、この復調部１５の出力側に接続された信号処理部１６と、受信部１４と復調部１５と信号処理部１６とを制御する制御部１７と、信号処理部１６及び制御部１７に接続された記憶部１８とを有する。また、この受信装置１２を搭載した電子機器１１は、信号処理部１６の出力側に接続された表示部１９と、制御部１７に接続され時刻を計時する計時部２０と、制御部１７に接続されユーザから操作を受ける入力キー（図示せず）とを有する。
【００１１】
次に、実施の形態１における、受信装置１２の動作について図２を用いて説明する。
【００１２】
電子機器１１の電源オフ状態、つまり、受信部１４、復調部１５、及び信号処理部１６の電源オフ状態において、計時部２０及び制御部１７は電源オン状態である。このとき、計時部２０が計時した時間情報は制御部１７に出力されている。制御部１７は、この計時部２０からの時間情報に基づいて、予め任意に設定された時間間隔で、受信部１４、復調部１５、及び信号処理部１６の電源を自動的にオンし起動させる（ステップＳ２１）。次に、制御部１７は、受信部１４及び復調部１５を制御することにより、第１のチャンネルを選局する（ステップＳ２２）。次に、制御部１７は、復調部１５から出力された第１のチャンネルの信号に放送信号が存在する旨の情報を含む伝送制御信号が存在するか否か、つまり第１のチャンネルに放送が存在するか否かを判断する（ステップＳ２３）。そして、第１のチャンネルに放送が存在しないと判断された場合（ステップＳ２３でＮｏ）、制御部１７は、ステップＳ２２に戻り、第２のチャンネルについて同様の処理をする。一方、第１のチャンネルに放送が存在すると判断された場合(ステップＳ２３でＹｅｓ)、復調部１５が第１のチャンネルの放送信号をデジタル信号に復調し（ステップＳ２４）、信号処理部１６がこの第１のチャンネルのデジタル信号を映像情報に復号し（ステップＳ２５）、制御部１７はこの映像情報を記憶部１８に記憶する（ステップＳ２６）。また、制御部１７は、第１のチャンネルのチャンネル情報を記憶部１８に記憶する（ステップＳ２７）。そして、制御部１７は、電子機器１１の電源をオフにする。つまり、制御部１７は、受信部１４、復調部１５、及び信号処理部１６の電源をオフにし計時部２０及び制御部１７の電源をオンのままにする（ステップＳ２８）。尚、上記説明のステップＳ２３において、放送信号がないと判断された場合は、制御部１７はただちにステップＳ２８に移行しても良い。次に、制御部１７は、予め設定された任意の時間経過後に受信部１４、復調部１５、及び信号処理部１６を自動的に起動し、次のチャンネルについても同様に処理する。
【００１３】
このように電子機器１１は、上記処理を複数チャンネルに対して行うことで、各チャンネルの映像情報とチャンネル情報とを記憶部１８に蓄積する。
【００１４】
次に、ユーザが電子機器１１の電源を入力キーによってオンしたときの電子機器１１の動作について図３を用いて説明する。
【００１５】
ユーザによって電子機器１１の電源がオンされると（ステップＳ３１）、制御部１７は、自動的若しくはユーザからの入力操作によって、記憶部１８に記憶された第１のチャンネルの映像情報を表示部１９に出力する（ステップＳ３２）。このとき、ユーザが第１のチャンネルを選択決定した場合（ステップＳ３３でＹｅｓ）、制御部１７は、受信部１４に第１のチャンネルを選局させる（ステップＳ３５）。一方、ユーザがチャンネル切替入力操作を行った場合（ステップＳ３３でＮｏ）、制御部１７は、記憶部１８に記憶された第２のチャンネルの映像情報を表示部１９に出力する（ステップＳ３４）。そして、ユーザがチャンネルを決定するまでステップＳ３３とステップＳ３４とが繰り返され、ユーザがチャンネルを選択決定した場合（ステップＳ３３のＹｅｓ）、制御部１７は、受信部１４及び復調部１５を制御して、ユーザが選択決定したチャンネルを選局する(ステップＳ３５）。このように、ユーザがザッピング処理をする際、受信部１４が選局処理をすることなく複数チャンネルの映像情報が次々と表示部１９に表示されるので、ユーザのザッピング処理時間を短縮することができる。即ち、ユーザがストレスをあまり感じることなく、受信可能なチャンネルの映像情報を確認することができる。また、一回の受信部１４の間欠起動によって、チャンネルサーチをすると共に番組を認識可能な情報を取得するので、消費電力を低減することができる。
【００１６】
尚、記憶部１８は、信号処理部１６で復号される前の、復調部１５から出力された映像情報を記憶しても良い。これにより、記憶部１８は、圧縮された映像情報を記憶するので、記憶部１８の容量を抑えることができる。
【００１７】
尚、間欠受信にて映像情報を取得する図２のステップＳ２６において、記憶部１８は、チャンネル情報と映像情報のほかに、ＡＧＣ（Ａｕｔｏｍａｔｉｃ Ｇａｉｎ Ｃｏｎｔｒｏｌ）情報を記憶しても良い。即ち、記憶部１８に記憶されたＡＧＣ情報を用いて、制御部１７は受信装置１２のＡＧＣ制御を行う。これにより、受信装置におけるＡＧＣ制御に要する時間を短縮することができ、ステップＳ２２やステップＳ３５における選局処理時間を短縮することができる。
【００１８】
さらに、受信装置１２は、受信部１４と制御部１７との間に接続され受信部１４が受信した放送信号の受信強度を検出する検出部（図示せず）を有しても良い。即ち、制御部１７が、検出部で検出された信号強度が所定レベル以上であるか否かを判定し、信号強度が所定のレベル未満のチャンネルに対して復調処理を省略する。これにより、処理時間を短縮することができる。
【００１９】
尚、上記説明では、放送信号は、伝送制御信号として放送信号が存在する旨の情報を含んでいたが、その代わりに、緊急放送情報を含んでいても良い。即ち、電子機器１１の電源オフ状態において、受信部１４が間欠的に任意の時間間隔で起動し緊急放送情報を有する伝送制御信号と映像情報とを含む放送信号を受信する。このように、一回の受信部１４の間欠起動によって、緊急放送情報と映像情報とを取得することにより、消費電力を低減することができる。
【００２０】
また、一般的に、番組が開始する時間帯における映像情報はその番組がどのような番組であるかをユーザが認識し易い。従って、受信装置１２は、制御部１７に接続され放送の番組プログラムを取得する番組プログラム取得部（図示せず）を有し、受信部１４は、この番組プログラム取得部が取得した番組プログラムに基づいて、番組が開始する時間に合わせて起動し放送信号を受信しても良い。
【００２１】
また、上記記憶部１８に記憶し表示部１９に表示する情報は、映像情報に限らず、画像情報、音声情報、又は文字情報など、番組を認識可能な情報であれば何でも良い。例えば、ステップＳ３２において、記憶部１８に記憶されている複数のチャンネルの静止画像が表示部１９に一度に表示されても良い。これにより、記憶部１８に記憶されている複数のチャンネルの番組内容を一度に確認することができ、ザッピング処理時間をさらに短縮することができる。
【産業上の利用可能性】
【００２２】
本発明の受信装置とこれを用いた電子機器は、放送チャンネルの選択時において、視聴可能な複数チャンネルの映像情報をすばやく確認することができる。これによって、ユーザが好みのチャンネルを探索する時間を短縮することができ、携帯端末や自動車に搭載されるテレビなどに利用できる。
【図面の簡単な説明】
【００２３】
【図１】本発明の実施の形態１における電子機器のブロック図
【図２】同電子機器の動作フローチャート
【図３】同電子機器の動作フローチャート
【図４】従来の電子機器のブロック図
【符号の説明】
【００２４】
１１  電子機器
１２  受信装置
１３  アンテナ
１４  受信部
１５  復調部
１６  信号処理部
１７  制御部
１８  記憶部
１９  表示部
２０  計時部
【図１】
2008098900.tif 000003
【図２】
2008098900.tif 000004
【図３】
2008098900.tif 000005
【図４】
2008098900.tif 000006